(57)【特許請求の範囲】
【請求項１】
垂下式で貝類の種苗を採取する方法において、セメント及び軽量の細骨材を含有する水硬性組成物であって、軽量の細骨材を、水硬性組成物中に５〜５０質量％含有し、水硬性組成物１００質量％に対して水４５〜１００質量％の割合で混合したスラリーにして用いる水硬性組成物で被覆した採苗器を用いることを特徴とする貝類の種苗採取方法。
【請求項２】
細骨材の浮遊率が４５％以上である請求項１記載の貝類の種苗採取方法。
【発明の詳細な説明】
【技術分野】
【０００１】
本発明は、貝類の種苗を効率良く採取する方法に関する。
【背景技術】
【０００２】
牡蠣を養殖する方法としては、帆立貝の貝殻を採苗器とし、海中に浮遊している牡蠣の幼生を付着させ、これを適当な間隔でロープに括り付け、筏や延縄に吊すのが一般的である。この場合、牡蠣は採苗器を中心に密集して成長するため、牡蠣同士がくっついたり成長方向が制限され、形状が歪になってしまうものが殆どである。
【０００３】
形状の良好な牡蠣を養殖するには、牡蠣が成長するための間隔を確保する必要があり、牡蠣の稚貝を採苗器から取り外して籠に入れたり、穴を開けてロープに吊り下げたりする方法が行われている。牡蠣を採苗器から取り外す時期としては、稚貝があまり大きくならないうちの方が、その後の影響も少ないが、小さい稚貝は付着力が強く、また、貝殻の強度が不十分であるため、剥がし取る際に破損して種苗採取の歩留まりが低下する場合があった。
このため、剥がし取りやすさを改善し、貝類の種苗を効率的に採取する方法として、採苗器を、セメントを主成分とする水硬性組成物のスラリーで被覆して用いる方法が検討されている（特許文献１、特許文献２）。
【０００４】
しかし、この方法を用いた場合、採苗器の形状や水硬性組成物の粘性、コーティング作業状況などの要因によって、コーティング厚さが変動してしまう場合があり、コーティング厚さが薄くなると表面が滑らかになり、牡蠣ナイフ等の道具が引っかかりにくくなって種苗をうまく剥がし取れない場合があった。また、種苗採取の効率を高めるため、抑制期間が短い時期の小さな種苗を剥がし取ろうとした場合、コーティングの強度に比べて種苗の殻が十分な強度を持たないため、コーティングを剥がし取る力で種苗を破損してしまう場合が多く、小さい種苗をも容易に剥がし取る方法が求められていた。
【先行技術文献】
【特許文献】
【０００５】
【特許文献１】特開２００８−２０６４９７号公報
【特許文献２】特開２００６−２３７０３６号公報
【発明の概要】
【発明が解決しようとする課題】
【０００６】
従って、本発明の目的は、採苗器から種苗を剥がし取る作業を容易にし、より小さな種苗を剥がし取る際にも破損することが少なく、効率的に種苗採取できる方法を提供することにある。
【課題を解決するための手段】
【０００７】
本発明者らは、斯かる実情に鑑み、種々検討した結果、セメントと軽量細骨材を含有する水硬性組成物で被覆した採苗器を用いれば、採苗器に付着した種苗を容易に剥がし取れることを見出し、本発明を完成した。
【０００８】
すなわち、本発明は、垂下式で貝類の種苗を採取する方法において、セメント及び軽量の細骨材を含有する水硬性組成物で被覆した採苗器を用いることを特徴とする貝類の種苗採取方法を提供するものである。
【発明の効果】
【０００９】
本発明によれば、採苗器に付着した種苗を剥がし取る作業が容易になり、種苗採取の効率を高めることができる。また、より小さい種苗を剥がし取ることができ、得られた種苗を用いて形状の良い貝類の養殖が可能となり、牡蠣のカゴ養殖やシングルシード方式による養殖の生産性を向上させることができる。
【発明を実施するための形態】
【００１０】
本発明で用いる水硬性組成物は、セメント及び軽量の細骨材を含有するものである。
水硬性組成物に用いるセメントとしては、JISに規定されているセメントであればいずれのものでも良く、ポルトランドセメント類のほか、高炉セメント、フライアッシュセメント、スラグセメント、エコセメント、アルミナセメントなどを、１種又は２種以上を適当な割合で混合したものを用いることが可能である。特に、普通ポルトランドセメント又は早強ポルトランドセメントを用いるのが好ましい。これらセメントは、単独で用いることも可能であるが、石膏類、石灰石微粉末、各種スラグ微粉末、フライアッシュ、シリカフューム、ドロマイトなどの混和材を１種以上混合し、作業状況に応じて流動性や硬化物性を調整した水硬性組成物として用いるのが好ましい。
セメントは、水硬性組成物中に２５〜７０質量％、特に３０〜６０質量％含有されるのが好ましい。
【００１１】
水硬性組成物に用いる細骨材としては、軽量であることが必要であり、比重が１．８ｇ／cm3以下、特に０．５〜１．６５ｇ／cm3であるのが好ましく、さらに浮遊率が４５％以上、特に６０％以上であるのが、スラリーを練り混ぜたときに細骨材の沈降が少なく、コーティングの際に細骨材粒子が採苗器表面に均一に付着しやすくなるので好ましい。
本発明において、比重は、JIS A1109「細骨材の密度及び吸水率試験方法」およびJIS A1134「構造用軽量細骨材の密度及び吸水率試験方法」に規定された方法により測定した値であり、浮遊率とは、細骨材を水に投入した際に表面に浮き上がる割合を容積％で示したものである。
具体的には、空隙が多いものが好ましく、例えば、パーライト、バーミキュライト等の天然に存在する軽量骨材や、頁岩、真珠岩、シラス等の鉱物を高温で焼成することにより発泡させた人工軽量骨材、フライアッシュを浮遊選別して得られる中空セラミックス粒子、木炭や竹炭を粉砕した粗粒分、有機系の合成樹脂からなる小粒径の粒状物などを使用することができる。
【００１２】
軽量の細骨材は、水硬性組成物中に５〜５０質量％、特に１０〜３０質量％含有されるのが、採苗器に均一に塗布されやすいので好ましい。
【００１３】
また、水硬性組成物には、スラリーの流動性や硬化性状を調整するための材料として、一般にセメント・コンクリート用として用いられている硬化促進剤、凝結遅延剤、収縮低減剤、ＡＥ剤、減水剤、高性能減水剤、流動化剤、増粘剤、消泡剤等の添加物を、スラリーのコーティング性状およびコーティングに付着した種苗の状態に影響を及ぼさない範囲で、１種又は２種以上併用して添加することもできる。
さらに、コーティングのひび割れや浮きを防止するために、所定の長さや撚り状態に調整した繊維の類、具体的には鋼繊維や、ビニロン、アクリル、ナイロン、アラミド、ポリプロピレン等を原料とした樹脂繊維、ガラス繊維などを、剥がし取り作業性を損なわない範囲で混合しても良い。
これらの材料は、その形態によって、予め水硬性組成物の粉体に混合しても良いし、練り混ぜ時に水に溶解もしくは分散させておいても良い。また、練り上がったスラリーの状態を確認した後、必要量を後からスラリーに添加して再び混練して用いることも可能である。
【００１４】
このような水硬性組成物は、スラリーにして用いられる。具体的には、前記のような水硬性組成物と水を、水硬性組成物１００質量％に対して水４５〜１００質量％、特に５５〜７５質量％の割合で混合して用いるのが、採苗器を被覆し易い粘度のスラリーが得られるので好ましい。
【００１５】
本発明で用いる採苗器としては、通常用いられるものであれば特に制限されないが、例えば、牡蠣、帆立貝等の貝殻、プラスチック製の採苗器等が挙げられる。
【００１６】
採苗器は、水硬性組成物のスラリーに直接浸漬することにより、被覆させることができる。具体的には、練り混ぜたスラリーを適当な大きさのバケツや水槽などに貯めておき、そこへ採苗器を直接投入して十分に浸漬したのち、引き上げて被覆が完了する。
被覆の厚さは、採苗器から稚貝を剥がす際に、容易に削り取れる又は剥がすことができる程度であれば良く、０．３〜３mm、特に０．５〜２mm程度が好ましい。
【００１７】
このようにして、水硬性組成物で被覆した採苗器は、被覆材を十分硬化させた後、通常の方法により、垂下連にして用いることができる。垂下連は、１本当たりの長さが５０cm〜５ｍ、特に５０cm〜３ｍであるのが好ましい。１本の垂下連には、採苗器を２０〜１００枚、特に５０〜８０枚取り付けるのが好ましい。
また、通常の方法により垂下連を製造した後、これを水硬性組成物のスラリーで被覆して用いることもできる。
【００１８】
垂下連は、通常の方法により、海中に設置され、貝類の種苗を採取することができる。
本発明により種苗を採取する貝類は、主として牡蠣や岩牡蠣などの二枚貝に代表される、幼生が海中を浮遊する固着性貝類である。
【００１９】
実施例１
（１）水硬性組成物種材の調製：
早強ポルトランドセメント（太平洋セメント社製）、ドロマイトプラスター（日本プラスター社製）、高炉スラグ微粉末（ブレーン値４０００品；デイシイ社製）、石灰石微粉末（２００メッシュ品；有恒鉱業社製）を、表１示す組成で量り取り、レディゲミキサーに投入して２分間混合し、水硬性組成物の種材を調製した。
【００２０】
【表１】
0005528030.tif 000002
【００２１】
（２）水硬性組成物の調製：
前記（１）で調製した種材と、中空セラミックス細骨材（比重：０．８５〜１．５ｇ／cm3（かさ比重：０．３５〜０．４５ｇ／cm3）、浮遊率：９３％）、掛川産山砂（比重２．５２ｇ／cm3、（かさ比重：１．６９ｇ／cm3）浮遊率：１％以下）を用い、表２に示す組成の成分を、ヘンシェルミキサーで混合し、配合Ａ〜Ｇを調製した。
【００２２】
【表２】
0005528030.tif 000003
【００２３】
（３）採苗器垂下連の作成：
前記（２）で調製した配合Ａ〜Ｇ各１０kgを、１５Ｌトスロン缶に投入し、表３に示した水粉体比となるように水道水を加え、ハンドミキサーにより２分間練り混ぜて、水硬性組成物スラリーを調製した。
これに、帆立貝貝殻７０枚を、間にスペーサーを挟みながら、ナイロン製テグスに通した採苗器垂下連を浸漬し、全体にスラリーを満遍なく付着させた後、垂下連を引き上げ、コーティング直後の採苗器のコーティング状態を観察した。更に、この垂下連を吊り下げた状態で１日静置して、硬化・乾燥後での採苗器のコーティング状態を観察した。結果を表３に示す。
なお、表３中、コーティング直後の評価「○」は、コーティング厚が均一で細骨材がコーティング中に満遍なく存在している状態を示し、硬化・乾燥後の評価「○」は、コーティングのひび割れや剥離がなく、細骨材が容易に取れることなくコーティングに保持されている状態を示す。
なお、実施例３、７及び９は参考例であり、本発明の範囲に含まれるものではない。
【００２４】
【表３】
0005528030.tif 000004
【００２５】
（４）採苗状況：
全ての採苗器垂下連を用い、種苗採取場での採苗を行い、採苗後１ヶ月間抑制を行った後の採苗器１枚当りの種苗付着数と、うまく剥がし取れた種苗数（いずれも平均値）を測定し、さらに抑制後のコーティング状態と種苗（コーティング）の剥がし易さを評価した。
なお、付着した種苗（コーティング）を剥がし取る方法は、牡蠣ナイフやスパチュラーにより、コーティングごと種苗を剥がし取る方法、あるいは、コーティング表面を削り、種苗を剥がし取る方法を用いた。
結果を表４に示す。表４中、１ヶ月抑制後の採苗器のコーティング状態の評価「○」は、採苗器垂下直後の状態と比較して目立ったひび割れや剥離がない状態を示し、種苗（コーティング）の剥がし易さの評価「○」は、牡蠣ナイフやスパチュラーを用いることで、容易に種苗を採取することが可能なことを示す。
【００２６】
【表４】
0005528030.tif 000005
【００２７】
表４の結果より、本発明の種苗採取方法を用いることにより、採苗器に付着した種苗を剥がし取る作業が容易になり、種苗採取の効率が高まった。